(57)【要約】【課題】  テレビの操作を行って外部のレコーダーで録画した番組を、テレビの操作で簡単に表示検索することができ、煩雑な操作を行わずに録画番組の視聴を開始することができるようにする。  具体的には、ＨＤＭＩで接続されたレコーダーをＤＴＶで操作して番組の録画を行った場合、録画履歴をＴＶに保持しておき、履歴から再生制御を行えるようにする。【解決手段】  ＤＴＶにメモリーを持ち、ＤＴＶがＨＤＭＩ−ＣＥＣでレコーダーを制御して録画を開始した場合に、録画番組の情報を記録する。再生時は録画番組の情報を一覧表示し、選択された番組の再生コマンドをレコーダーに送信して再生を行う。【選択図】  図１
2009088630.tif 000002
【特許請求の範囲】
【請求項１】
映像信号、音声信号、制御信号の伝送が可能なインターフェースを有し、前記インターフェースを介して接続された録画再生装置を制御可能な信号再生装置であって、前記録画再生装置に対して番組の録画を指示した際に、前記番組に関する録画番組情報を記録する機能と、前記録画番組情報を表示する機能と、前記表示された少なくとも１つ以上の録画番組情報から特定の録画番組情報を選択する機能を有し、前記選択された録画番組情報に従って、前記録画再生装置に記録されている録画データの再生を指示することを特徴とする信号再生装置。
【請求項２】
前記録画再生装置に対して、現在視聴中の番組の録画を指示した場合に前記録画番組情報を記録する機能ことを特徴とする、請求項１に記載の信号再生装置。
【請求項３】
前記録画再生装置に対して、現在視聴中の番組の録画を指示した場合に記録された録画番組情報を表示することを特徴とする、請求項１に記載の信号再生装置。
【請求項４】
前記選択された録画番組の再生ができなかった場合に、前記記録されている録画番組情報から前記選択された録画番組情報を消去することを特徴とする、請求項１に記載の信号再生装置。
【請求項５】
前記録画再生装置から、前記録画の指示によって録画されたデータが消去されたことを示す消去通知データを受信した場合に、前記録画番組情報から前記消去通知データに該当する録画番組情報を消去することを特徴とする、請求項１に記載の信号再生装置。
【請求項６】
前記録画制御を行った録画再生装置が検出できない場合は、前記録画番組情報を表示しない特徴とする、請求項１に記載の信号再生装置。
【請求項７】
前記録画制御を行った録画再生装置が検出できない場合は、前記録画番組情報を選択不可能な状態で表示することを特徴とする、請求項１に記載の信号再生装置。
【請求項８】
前記録画制御を行った際に、前記録画再生装置から録画データの識別情報を受信し、前記録画番組情報の一部として記録することを特徴とする、請求項１に記載の信号再生装置。
【請求項９】
前記選択された録画番組情報に従って、前記録画再生装置に記録されている録画データの再生を指示する際に、前記録画データの識別情報を使用して録画データの再生を指示することを特徴とする、請求項８に記載の信号再生装置。
【請求項１０】
前記インターフェースはHDMIであることを特徴とする請求項１〜請求項９のいずれかに記載の信号再生装置。
【請求項１１】
映像信号、音声信号、制御信号の伝送が可能なインターフェースを有し、前記インターフェースを介して接続された外部装置から制御可能な録画再生装置であって、前記外部装置からの指示によって録画を開始した場合、録画データの識別情報を前記外部装置に送信することを特徴とする録画再生装置。
【請求項１２】
前記外部装置より、前記録画データの識別情報を受信して、前記受信した識別情報に該当する録画データの再生を行うことを特徴とする請求項１１に記載の録画再生装置。
【請求項１３】
前記録画データの識別情報は、録画データのファイルパスであることを特徴とする請求項１１に記載の録画再生装置。
【請求項１４】
前記録画データの識別情報は、録画データの記録開始日時であることを特徴とする請求項１１に記載の録画再生装置。
【請求項１５】
前記録画データの識別情報は、録画データの番組名であることを特徴とする請求項１１に記載の録画再生装置。
【請求項１６】
前記外部装置からの指示によって録画を開始した場合、前記録画データが外部装置からの制御によって録画を開始したことを示す情報を記録することを特徴とする請求項１１に記載の録画再生装置。
【請求項１７】
録画データの消去時に、前記消去される録画データが前記外部装置からの指示によって録画を行ったデータである場合、前記外部装置に対して消去通知データを送信することを特徴とする請求項１６に記載の録画再生装置。
【請求項１８】
前記インターフェースはHDMIであることを特徴とする請求項１１〜請求項１７のいずれかに記載の録画再生装置。
【発明の詳細な説明】
【技術分野】
【０００１】
本発明は、映像、音声などのデータの記録および再生装置に関する。
【背景技術】
【０００２】
近年、デジタル映像音声データを伝送するためのHDMI(High-Definition Multimedia Interface)規格が普及してきている。（非特許文献１）。HDMIはデジタルテレビのような表示装置とデジタルレコーダーのような映像音声出力装置との接続に用いられ、高品位なデジタル映像、音声を伝送することができる。またHDMI規格ではCEC(Consumer Electronics Control)と呼ばれる機器制御信号と制御プロトコルが規格化されており、映像、音声の伝送のみならず、HDMIケーブルで接続されている機器の制御も行うことが可能である。CECでは制御コマンドが定義されており、前記定義された制御コマンドを組み合わせることで、テレビで視聴中の番組と同じ番組にHDMIで接続されているハードディスクレコーダーのチューナーをチューニングして録画を開始させるという制御が可能である。
【０００３】
又、別の従来例としては、特許文献１をあげることが出来る。
【特許文献１】特開2006-67540号公報
【非特許文献１】High-Definition Multimedia Interface Specification Version 1.3a
【発明の開示】
【発明が解決しようとする課題】
【０００４】
テレビのリモコンを操作して、前述のようにテレビで視聴中の番組をハードディスクレコーダーに録画させた場合でも、録画した番組の再生はハードディスクレコーダーが表示する録画番組リストから番組を選ぶ必要があり、ハードディスクの操作で録画した番組や、予約録画した番組が含まれるリストから探す必要があり、操作が煩雑になってしまうという問題がある。
【課題を解決するための手段】
【０００５】
前記課題を解決するために本発明は、映像信号、音声信号、制御信号の伝送が可能なインターフェースを有し、前記インターフェースを介して接続された録画再生装置を制御可能な信号再生装置であって、前記録画再生装置に対して番組の録画を指示した際に、前記番組に関する録画番組情報を記録する機能と、前記録画番組情報を表示する機能と、前記表示された少なくとも１つ以上の録画番組情報から特定の録画番組情報を選択する機能を有し、前記選択された録画番組情報に従って、前記録画再生装置に記録されている録画データの再生を指示することを特徴とする。
【０００６】
また本発明は、前記録画再生装置に対して、現在視聴中の番組の録画を指示した場合にのみ前記録画番組情報を記録する機能ことを特徴とする。
【０００７】
また本発明は、前記録画再生装置に対して、現在視聴中の番組の録画を指示した場合に記録された録画番組情報をのみを表示することを特徴とする。
【０００８】
また本発明は、前記選択された録画番組の再生ができなかった場合に、前記記録されている録画番組情報から前記選択された録画番組情報を消去することを特徴とする。
【０００９】
また本発明は、前記録画再生装置から、前記録画の指示によって録画されたデータが消去されたことを示す消去通知データを受信した場合に、前記録画番組情報から前記消去通知データに該当する録画番組情報を消去することを特徴とする。
【００１０】
また本発明は、前記録画制御を行った録画再生装置が検出できない場合は、前記録画番組情報を表示しない特徴とする。
【００１１】
また本発明は、前記録画制御を行った録画再生装置が検出できない場合は、前記録画番組情報を選択不可能な状態で表示することを特徴とする。
【００１２】
また本発明は、前記録画制御を行った際に、前記録画再生装置から録画データの識別情報を受信し、前記録画番組情報の一部として記録することを特徴とする。
【００１３】
また本発明は、前記選択された録画番組情報に従って、前記録画再生装置に記録されている録画データの再生を指示する際に、前記録画データの識別情報を使用して録画データの再生を指示することを特徴とする。
【００１４】
また本発明は、映像信号、音声信号、制御信号の伝送が可能なインターフェースを有し、前記インターフェースを介して接続された外部装置から制御可能な録画再生装置であって、前記外部装置からの指示によって録画を開始した場合、録画データの識別情報を前記外部装置に送信することを特徴とする。
【００１５】
また本発明は、前記外部装置より、前記録画データの識別情報を受信して、前記受信した識別情報に該当する録画データの再生を行うことを特徴とする。
【００１６】
また本発明は、前記録画データの識別情報は、録画データのファイルパスであることを特徴とする。
【００１７】
また本発明は、前記録画データの識別情報は、録画データの記録開始日時であることを特徴とする。
【００１８】
また本発明は、前記録画データの識別情報は、録画データの番組名であることを特徴とする。
【００１９】
また本発明は、前記外部装置からの指示によって録画を開始した場合、前記録画データが外部装置からの制御によって録画を開始したことを示す情報を記録することを特徴とする。
【００２０】
また本発明は、録画データの消去時に、前記消去される録画データが前記外部装置からの指示によって録画を行ったデータである場合、前記外部装置に対して消去通知データを送信することを特徴とする。
【発明の効果】
【００２１】
テレビの操作を行って外部のレコーダーで録画した番組を、テレビの操作で簡単に表示検索することができ、煩雑な操作を行わずに録画番組の視聴を開始することができる。
【発明を実施するための最良の形態】
【００２２】
次に、本発明の詳細を実施例の記述に従って説明する。
【実施例１】
【００２３】
以下、添付図面に従って本発明にかかる実施形態を詳細に説明する。
【００２４】
［図 1］は、本実施例におけるデジタルテレビとデジタルレコーダーが接続されたシステムズである。11はデジタルテレビ、12はデジタルレコーダー、13はデジタルテレビ11とデジタルレコーダー12を接続するHDMIケーブルである。
【００２５】
まずデジタルテレビ11のブロック図と一般的な動作について説明する。
【００２６】
1101はデジタルテレビの制御を行うCPUであり、1102はデジタル映像・音声データの処理を行うデジタルシグナルプロセッサである。1103はアンテナ部であり、1104はデジタルチューナー部である。1105は液晶パネルなどの表示部、1106はスピーカーである。1107は赤外線リモコンの受信部である。1108はHDMI回路、1109はHDMI端子である。1110は録画の履歴データを保存するためのメモリーである。
【００２７】
デジタルテレビで放送波を視聴する場合、アンテナ1103から受信した信号をチューナー1104で復調し、デジタルデータとしてDSP1102に入力する。DSP1102はデジタルデータをデコードして映像データ、音声データを再生してそれぞれ表示部1105、スピーカー1106に出力して映像の表示と音声の出力を行う。
【００２８】
HDMIで接続されているデジタルレコーダーの再生映像を表示する場合は、HDMI回路1108でHDMI端子1109に接続されたHDMIケーブル13を介してデジタルレコーダー12から映像・音声データを受信する。前記受信した映像。音声データをDSP1102に入力し、DSP1102は前記入力された映像・音声データの処理を行ってそれぞれ表示部1105、スピーカー1106に出力して映像の表示と音声の出力を行う。
【００２９】
次にデジタルレコーダー12のブロック図と一般的な動作について説明する。
【００３０】
1201はデジタルレコーダーの制御を行うCPUであり、1202はデジタル映像・音声データの処理を行うデジタルシグナルプロセッサである。1203はアンテナ部であり、1204はデジタルチューナー部である。1205は録画データを保存するためのHDD（ハードディスクドライブ）である。1206は赤外線リモコンの受信部である。1207はHDMI回路、1208はHDMI端子である。
【００３１】
デジタルレコーダーで放送波を録画する場合、アンテナ1203から受信した信号をチューナー1204で復調し、MPEG2等のデジタルストリームデータとしてDSP1202に入力する。CPU1201はHDD1205を制御して、前記デジタルストリームデータをHDD1205に記録し、また前記録画データの管理ファイルをHDD1205上に記録する。
【００３２】
デジタルレコーダーで録画データを再生する場合、まずCPU1201はDSP1202を制御して録画データ一覧画面を作成し、前記一覧画面はHDMI回路1207に入力される。前記HDMI回路1207に入力された一覧画面はHDMI端子1208から出力され、HDMIケーブル13で接続されたデジタルテレビ11に表示される。ユーザーは図示しないデジタルレコーダー用のリモコンの操作を行い、前期一覧画面を見ながら再生を行う録画番組を選択する。前記リモコンの操作による制御信号は、リモコン受信部1206を介してCPU1201に入力され、CPU1021は前記選択された録画データに該当するファイルをHDD1205から読み出して、DSP1202に入力する。DSP1202は前記入力されたファイルのデータのデコードを行い、映像データ、音声データを再生してHDMI回路1207に入力する。前記HDMI回路1207に入力された映像・音声データはHDMI端子1208から出力され、HDMIケーブル13で接続されたデジタルテレビ11に表示・再生される。
【００３３】
次に、視聴中の番組をデジタルテレビ11を操作してデジタルレコーダー12で録画する場合の動作について［図 2］を用いて説明する。
【００３４】
ステップ201においてユーザーが［図 1］に図示しないデジタルテレビのリモコンを操作して"One Touch Record"ボタンを押すと、デジタルテレビ11のCPU1101はリモコン受信部1107を介して受信した前記リモコンコードを検出する。前記リモコンコードを検出して、CPU1101は現在受信中の番組のストリーム情報をセットした<Record On>コマンドフレームを作成し、HDMI回路1108に入力する。ステップ202においてHDMI回路1108は、前記コマンドフレームをHDMI端子1109を介してHDMIケーブル13で接続されているデジタルレコーダー12に送信する。
【００３５】
デジタルレコーダー12のCPU1201はHDMI回路1207を介して前記受信した<Record On>コマンドを検出する。前記<Record On>コマンドのパラメータにセットされているストリーム情報に従って、CPU1201はチューナー1204を制御して、録画対象番組にチューニングを行い、HDD1205に前記番組の録画を開始する。録画を開始すると、CPU1201は録画中の番組のストリーム情報をセットした<Record Status>コマンドフレームを作成し、HDMI回路1207に入力する。ステップ203においてHDMI回路1207は、前記コマンドフレームをHDMI端子1208を介してHDMIケーブル13で接続されているデジタルテレビ11に送信する。また、CPU1201は録画中の番組データの識別情報をセットした<Vendor Command>コマンドフレームを作成し、HDMI回路1207に入力する。ステップ204においてHDMI回路1207は、前記コマンドフレームをHDMI端子1208を介してHDMIケーブル13で接続されているデジタルテレビ11に送信する。前記識別情報は、HDD1205に記録されているファイルのファイルパス、記録開始日時情報、EPG(Electronic Program Guide)から取得した録画番組の番組名等を使用することが可能である。
【００３６】
ステップ204において前記<Vendor Command>コマンドフレームを受信したデジタルテレビ11のCPU1101は、前記コマンドフレームから識別情報を検出し、録画開始した番組の情報をメモリー1110に記録する。［図 3］は、前記メモリー1110に記録するデータの例を示す図である。番組名、放送局、録画開始日時、識別情報を１つのレコードとして、デジタルテレビ11のリモコンを操作してデジタルレコーダー12に録画を行った番組のレコードを記録する。
【００３７】
ステップ205においてユーザーが［図 1］に図示しないデジタルテレビのリモコンを操作して"Record Stop"ボタンを押すと、デジタルテレビ11のCPU1101はリモコン受信部1107を介して受信した前記リモコンコードを検出する。前記リモコンコードを検出して、CPU1101は<Record Off>コマンドフレームを作成し、HDMI回路1108に入力する。ステップ206においてHDMI回路1108は、前記コマンドフレームをHDMI端子1109を介してHDMIケーブル13で接続されているデジタルレコーダー12に送信する。デジタルレコーダー12のCPU1201はHDMI回路1207を介して前記受信した<Record Off>コマンドを検出し、録画処理を終了する。
【００３８】
［図 2］ではユーザーのリモコン操作によって録画の停止を行う例を示したが、EPGの情報から録画対象番組の放送終了時刻を検出して、デジタルテレビ11が前記放送終了時刻に自動的にデジタルレコーダー12に<Record Off>コマンドフレームを送信して録画を終了させることや、録画終了時刻に自動的にデジタルレコーダーが録画を終了することも可能である。
【００３９】
次に、前記録画した番組をデジタルテレビ11を操作して再生する場合の動作について説明する。
【００４０】
ユーザーが［図 1］に図示しないデジタルテレビ11のリモコンを操作して"録画番組一覧"ボタンを押すと、デジタルテレビ11のCPU1101はリモコン受信部1107を介して受信した前記リモコンコードを検出する。前記リモコンコードを検出して、CPU1101はメモリー1110から前記記録された番組の情報を読み出し、DSP1202を制御して録画番組一覧画面を作成し、表示部1105に表示する。［図 4］は、前記表示部に表示された録画番組一覧画面の例である。HDMI端子にケーブル13が接続されていない等の理由でデジタルレコーダー12が検出されない場合は、前記録画番組一覧画面の表示を行わない、または一覧から番組が選択できない状態で表示を行う。
【００４１】
デジタルレコーダー12がデジタルテレビ11に接続されている場合、ユーザーは前記リモコンの十字ボタン等を操作して、前記録画番組一覧から再生を行いたい番組を選択した後、［図 5］のステップ501で前記リモコンに"Play"ボタンを押す。デジタルテレビ11のCPU1101はリモコン受信部1107を介して受信した前記リモコンコードを検出する。前記リモコンコードを検出して、CPU1101は選択された番組情報に該当する識別情報をパラメータにセットした再生番組を選択するための<Vendor Command>コマンドフレームを作成し、HDMI回路1108に入力する。ステップ502においてHDMI回路1108は、前記コマンドフレームをHDMI端子1109を介してHDMIケーブル13で接続されているデジタルレコーダー12に送信する。
【００４２】
デジタルレコーダー12のCPU1201はHDMI回路1207を介して前記受信した<Vendor Command>コマンドを検出する。前記<Vendor Command>コマンドのパラメータにセットされている識別情報に従って、CPU1201は再生ファイルとして前記検出した識別情報に該当するファイルをHDD1205から選択する。前記ファイルがHDD1205から再生可能である場合、CPU1201は選択されたファイルの識別情報をセットした<Vendor Command>コマンドフレームを作成し、HDMI回路1207に入力する。ステップ503においてHDMI回路1207は、前記コマンドフレームをHDMI端子1208を介してHDMIケーブル13で接続されているデジタルテレビ11に送信する。
【００４３】
ステップ503において前記<Vendor Command>コマンドフレームを受信したデジタルテレビ11のCPU1101は、前記コマンドフレームから識別情報を検出し、ステップ502で送信した識別情報に該当するファイルが選択されたことを確認する。CPU1101は再生開始を指示する<Play>コマンドフレームを作成し、HDMI回路1108に入力する。ステップ504においてHDMI回路1108は、前記コマンドフレームをHDMI端子1109を介してHDMIケーブル13で接続されているデジタルレコーダー12に送信する。
【００４４】
デジタルレコーダー12のCPU1201はHDMI回路1207を介して前記受信した<Play>コマンドを検出し、前記選択されているファイルの再生を開始し、デジタルテレビ11はHDMI端子から入力されるデジタルレコーダー12の再生画像および音声を表示、出力する。
【００４５】
［図 6］は、前記選択した録画番組の再生が行えない場合の処理を示す図である。［図 6］中で［図 5］と同一番号を有するステップは［図 5］の処理内容と同一であるため、説明を省略する。
【００４６】
前記ステップ502で受信した識別情報に該当するファイルが既にHDD1205から削除されている等の理由で再生不可能な場合、デジタルレコーダー12のCPU1201はファイルの選択が失敗したことを示す<Feature Abort>コマンドフレームを作成し、HDMI回路1207に入力する。ステップ603においてHDMI回路1207は、前記コマンドフレームをHDMI端子1208を介してHDMIケーブル13で接続されているデジタルテレビ11に送信する。
【００４７】
ステップ603において前記<Feature Abort>コマンドフレームを受信したデジタルテレビ11のCPU1101は、番組の再生が不可能であることを検出し、DSP1202を制御して録画番組の再生に失敗したことを通知するメッセージ画面を作成し、表示部1105に表示するとともに、前記メモリー1110に記録されている番組の情報から、前記選択された番組情報を削除する。
【実施例２】
【００４８】
次に実施例2の動作について説明する。
【００４９】
実施例2における録画コントロールのコマンドフローは実施例１と同様であり、［図 2］に示す内容となる。ただし、ステップ202において<Record On>コマンドフレームを受信した際のデジタルレコーダー12の動作が異なる。
【００５０】
<Record On>コマンドを受信して実施例１で説明した手順でHDD1205に前記番組の録画を開始した場合、前記録画データの管理ファイルに前記録画データがデジタルテレビ12からのコマンドによって録画されたことを示すデータを記録する。以降の処理は実施例１で説明した処理内容と同一である。
【００５１】
再生動作については、実施例１と同様であるため説明を省略する。
【００５２】
次に、デジタルレコーダー12を操作して、録画番組を消去した場合の動作について説明する。［図 7］は、録画番組を消去した場合の処理を示す図である。
【００５３】
［図 1］に図示しないデジタルレコーダー12のリモコンを操作して、録画番組一覧を表示後、ステップ701でユーザーがリモコンの"Delete"ボタンを押して録画番組を消去した場合、CPU1201は前記消去される録画番組の管理情報を読み出して、デジタルテレビ12からのコマンドによって録画された番組であるか否かを確認する。前記録画番組がデジタルテレビ12からのコマンドによって録画された番組である場合は、CPU1201は前記消去する番組の識別情報をセットした録画削除を通知する<Vendor Command>コマンドフレームを作成し、HDMI回路1207に入力する。ステップ702でにおいてHDMI回路1207は、前記コマンドフレームをHDMI端子1208を介してHDMIケーブル13で接続されているデジタルテレビ11に送信する。
【００５４】
ステップ702において前記<Vendor Command>コマンドフレームを受信したデジタルテレビ11のCPU1101は、番組が消去されたことを検出し、前記コマンドフレームから検出した識別情報に該当する番組情報をメモリー1110から削除する。
【００５５】
［産業上の利用可能性］
本実施例によって、録画および再生の操作をテレビの操作のみで行うことができ、表示および操作が快適なユーザーインターフェースをユーザーに提供することが可能である。
【図面の簡単な説明】
【００５６】
【図１】本発明における、システムのブロック図。
【図２】実施例１における、録画コントロール処理を示す図。
【図３】実施例１における、録画番組情報の例を示す図。
【図４】実施例１における、録画番組一覧画面の例を示す図
【図５】実施例１における、再生コントロール処理を示す図。
【図６】実施例１における、再生に失敗した場合のコントロール処理を示す図。
【図７】実施例２における、録画番組削除時のコントロール処理を示す図。
【符号の説明】
【００５７】
11  デジタルテレビ
12  デジタルレコーダー
13  HDMIケーブル
1101  CPU
1102  デジタルシグナルプロセッサ
1103  アンテナ部
1104  デジタルチューナー部
1105  表示部
1106  スピーカー
1107  赤外線リモコンの受信部
1108  HDMI回路
1109  HDMI端子
1110  メモリー
1201  CPU
1202  デジタルシグナルプロセッサ
1203  アンテナ部
1204  デジタルチューナー部
1205  HDD
1206  赤外線リモコンの受信部
1207  HDMI回路
1208  HDMI端子
【図１】
2009088630.tif 000003
【図２】
2009088630.tif 000004
【図３】
2009088630.tif 000005
【図４】
2009088630.tif 000006
【図５】
2009088630.tif 000007
【図６】
2009088630.tif 000008
【図７】
2009088630.tif 000009